(57)【要約】【課題】保管時や持ち運び時には保護部材を用いなくても発光面を保護することができ、使用時には複数方向からの照明を可能として照明範囲の自由度を高くすることができる照明器具を提供する。【解決手段】照明器具１０は、筐体１２に有機ＥＬ素子からなる面発光装置１３が組み込まれた照明ユニット１１を複数備えている。各照明ユニット１１は、他の照明ユニット１１と分離可能に一体化するためのマグネット１５を備えており、各照明ユニット１１は発光面１４が他の照明ユニット１１の発光面１４と対向した状態で連結されている。また、各照明ユニット１１は、棒材により形成された支持部材１６を備えており、支持部材１６は筐体１２を、発光面１４の仰角・俯角方向の角度を調節可能に支持する。【選択図】      図１
2006147428.tif 000002
【特許請求の範囲】
【請求項１】
筐体内に面発光装置が組み込まれた照明ユニットを複数備え、前記各照明ユニットは前記面発光装置の発光面が他の照明ユニットに覆われる状態で前記他の照明ユニットと分離可能に一体化するための連結手段を備えていることを特徴とする照明器具。
【請求項２】
前記各照明ユニットは、発光面が他の照明ユニットの発光面と対向した状態で連結される請求項１に記載の照明器具。
【請求項３】
前記各照明ユニットは、棒材又は板材により形成された支持部材を備え、前記支持部材は前記筐体を前記発光面の仰角・俯角方向の角度を調節可能に支持する請求項１又は２に記載の照明器具。
【請求項４】
前記照明ユニットを１対備え、各照明ユニットは同一の構成であり、各発光面が対向するように連結される請求項１〜３のいずれか１項に記載の照明器具。
【請求項５】
前記面発光装置は、有機エレクトロルミネッセンス素子である請求項１〜４のいずれか１項に記載の照明器具。
【発明の詳細な説明】
【技術分野】
【０００１】
本発明は、照明器具に係り、詳しくは面発光型の照明器具に関する。
【背景技術】
【０００２】
机上や手元など所望の部分を照明する照明器具として、白熱電球や蛍光灯などを光源として用いた照明器具が使用されている。また、これらの照明器具には、撮影等において人物を照明する用途もある。しかし、これらの照明器具は光源からの発熱が大きく、光源を直視するとまぶしいという問題点があった。また、所定の方向に向けて照明を行うためには、リフレクタ等の部品が必要で照明器具の小型化には限界があった。
【０００３】
白熱電球や蛍光灯を光源として用いた照明器具のこれらの問題点を解消するために、エレクトロルミネッセンス（以下、適宜ＥＬと略す）素子を光源として用いたスタンド形照明器具が開示されている（特許文献１参照）。ＥＬ素子からなる光源は、発熱が少なく、直視してもまぶしくない。また、ＥＬ素子自体を、例えば、１ｍｍ以下と極めて薄くできるため照明器具の小型化が容易である。特許文献１に記載の照明器具は、図９に示すように、平板状の２枚の光源支持板４１の一辺がヒンジ４２を介して回動自在に連結された照明器具本体４０と、各光源支持板の連結部を介して対向する面に発光面を各光源支持板と反対側に向けて配置した薄板状のＥＬ素子からなる面発光部４３とを備えている。この照明器具は、使用時には２枚の光源支持板４１を所定の角度で交差させて照明器具本体４０を自立させ、光源支持板４１の開き角度を調節することで、面発光部４３の光が照射される範囲を調節して照明を行う。照明未使用時には光源支持板４１を折り畳み、保管や持ち運びを行う。
【特許文献１】特開２００１−３２５８０５号公報（明細書の段落［０００９］、［００１１］、図１）
【発明の開示】
【発明が解決しようとする課題】
【０００４】
ところが、特許文献１に記載の照明器具は、連結された複数の光源支持板４１を所定の角度に開き、連結部の軸が載置面に対して垂直となるようにして照明器具本体４０を自立させて照明を行う構成であり、連結部の軸を載置面と平行にした状態で面発光部４３を傾けて照明を行うことは考えられていないため、照明範囲の自由度が低い。また、前記照明器具は複数の面発光部４３を備えているが、複数の光源支持板４１は連結されており、光源支持板４１の回動可能範囲よりも離れた場所にある対象を照明する際には、前記複数の面発光部４３が一つの光源として作用するため、１方向からしか照明を行うことができない。
【０００５】
本発明は、前記従来の問題に鑑みてなされたものであって、その目的は、保管時や持ち運び時には保護部材を用いなくても発光面を保護することができ、使用時には複数方向からの照明を可能として照明範囲の自由度を高くすることができる照明器具を提供することにある。
【課題を解決するための手段】
【０００６】
前記の目的を達成するため、請求項１に記載の発明では、筐体内に面発光装置が組み込まれた照明ユニットを複数備え、前記各照明ユニットは前記面発光装置の発光面が他の照明ユニットに覆われる状態で前記他の照明ユニットと分離可能に一体化するための連結手段を備えている。
【０００７】
この発明では、使用時には複数の照明ユニットを分離して使用するため、一つの対象に１方向からだけでなく複数方向からの照明を行うことができ、照明範囲の自由度が高くなる。
【０００８】
請求項２に記載の発明では、請求項１に記載の発明において、前記各照明ユニットは、発光面が他の照明ユニットの発光面と対向した状態で連結される。この発明では、複数の照明ユニットは、各発光面同士を対向させた状態で他の照明ユニットと連結される。
【０００９】
請求項３に記載の発明では、請求項１又は２に記載の発明において、前記各照明ユニットは、棒材又は板材により形成された支持部材を備え、前記支持部材は前記筐体を前記発光面の仰角・俯角方向の角度を調節可能に支持する。ここで、「仰角・俯角」とは、照明ユニットの発光面が水平な載置面に対して垂直となっているときを基準として、発光面が上側に向くときが仰角を意味し、発光面が下側に向くときが俯角を意味する。この発明では、筐体と支持部材とのなす角度を調節して仰角・俯角方向の照明角度を調節することができ、照明範囲の自由度がより高くなる。
【００１０】
請求項４に記載の発明では、請求項１〜３のいずれか１項に記載の発明において、前記照明ユニットを１対備え、各照明ユニットは同一の構成であり、各発光面が対向するように連結される。この発明では、同一の構成を有する照明ユニットを使用しているため、異なる構成を有する照明ユニットの組み合わせで照明器具を構成する場合に比較して、照明器具の製造が容易である。
【００１１】
請求項５に記載の発明では、請求項１〜４のいずれか１項に記載の発明において、前記面発光装置は、有機エレクトロルミネッセンス素子である。この発明では、面発光装置の薄型化が容易である。
【発明の効果】
【００１２】
本発明によれば、保管時や持ち運び時には、保護部材を用いなくても発光面を保護することができ、使用時には複数方向からの照明を可能として照明範囲の自由度を高くすることができる。
【発明を実施するための最良の形態】
【００１３】
（第１の実施形態）
以下、本発明を具体化した照明器具の第１の実施形態を図１〜図３に従って説明する。図１（ａ）は一つの照明ユニットの概略斜視図、図１（ｂ）は連結された二つの照明ユニットからなる照明器具の側面図、図２は支持部材の取り付け部の概略分解斜視図、図３（ａ）及び図３（ｂ）は照明器具の使用時における概略斜視図である。
【００１４】
図１（ｂ）に示すように、照明器具１０は、二つの照明ユニット１１より構成されている。この二つの照明ユニット１１は、同一の構成を有している。以下に照明ユニット１１について説明する。
【００１５】
図１（ａ）に示すように、照明ユニット１１は、筐体１２と、筐体１２に組み込まれた有機ＥＬ素子からなる面発光装置１３とを備えている。筐体１２は、底部と反対側が開放された筐体本体１２ａと、開口部１２ｃを有する蓋部１２ｂとで構成されており、筐体１２の長手方向に沿った一端には膨出部１２ｄ（図１（ｂ），図２参照）が形成されている。（以下、膨出部１２ｄが形成された側を筐体１２の下端とする。）面発光装置１３は、片面に発光面１４を備えており、その発光面１４が蓋部１２ｂの開口部１２ｃと対向するように筐体本体１２ａに組み込まれている。なお、蓋部１２ｂは、面発光装置１３の縁に設けられた有機ＥＬ素子の図示しない配線等を隠す役割も有している。
【００１６】
また、照明ユニット１１は、他の照明ユニットと分離可能に一体化するための連結手段として、蓋部１２ｂの四角にマグネット１５を備えている。各マグネット１５は、筐体１２の長手方向に対して右側に配置されるものと左側に配置されるものとで異なる磁極を表面に向けて、かつ、筐体１２の表面と面一となるように、筐体１２に取り付けられている。例えば、図１（ａ）において、蓋部１２ｂの右上角と右下角に取り付けられたマグネット１５はＳ極が表面に現れており、蓋部１２ｂの左上角と左下角に取り付けられたマグネット１５はＮ極が表面に現れている。
【００１７】
さらに、照明ユニット１１は、棒材により形成された支持部材１６を備えている。支持部材１６は、筐体１２の長手方向と平行に延びる長い部分１６ａと、長い部分１６ａの両端にあって、長い部分１６ａと直角に延びる短い部分１６ｂとで構成されており、筐体１２の側面に回動可能に取り付けられている。筐体１２の膨出部１２ｄの両端面には、図２に示すように、雄ねじ部が形成された円柱状の凸部１９が設けられている。リング部１６ｃの孔は凸部１９の直径とほぼ同じ大きさに形成されている。また、支持部材１６の両端部には、扁平なリング部１６ｃが形成されている。支持部材１６は、リング部１６ｃを凸部１９にはめ、スプリングワッシャ１７を介して円筒状のナット１８で締め付けることによって筐体１２に取り付けられている。ナット１８の締め付け力は、支持部材１６の回動を許容し、かつ、支持部材１６が筐体１２に対して任意の角度をなす位置で保持可能な大きさに設定されている。なお、凸部１９の一方には、その内側にＡＣアダプタのプラグを差し込むためのコネクタ２０が設けられている。
【００１８】
次に、前記のように構成された照明器具１０の作用を説明する。照明器具１０は、照明未使用時には、二つの照明ユニット１１が各発光面１４を対向させた状態で連結され、一体化される（図１（ｂ）参照）。同一の構成を有する二つの照明ユニット１１を、上下の向きをそろえて各発光面１４が対向する状態で接触させると、異なる磁極のマグネット１５が接触することになる。従って、マグネット１５の磁力により二つの照明ユニット１１は連結され、一体化される。
【００１９】
保管時に、各照明ユニット１１に設けられた支持部材１６を、例えば、図１（ｂ）に示すように、筐体１２の側面に沿う位置で保持すれば収納スペースは小さくなる。また、照明器具１０は、図１（ｂ）に示すような状態で持ち運ぶこともできるが、それ以外に、例えば、二つの照明ユニット１１を一体化させ、各支持部材１６を筐体１２と１８０度の角をなす位置に保持して、支持部材１６を掴んで持ち運びを行うこともできる。
【００２０】
照明使用時には、照明器具１０は、二つの照明ユニット１１に分離して使用する。この時、各照明ユニット１１に設けられたコネクタ２０にＡＣアダプタが連結されて電源が供給される。各照明ユニット１１は、筐体１２が支持部材１６によって支持された状態で照明を行う。支持部材１６には一定の圧力がかかっており、支持部材１６は筐体１２に対して任意の角度をなす位置で保持される。筐体１２と支持部材１６とのなす角度を調節することで、仰角・俯角方向の照明角度を調節する。ここで、「仰角・俯角」とは、照明ユニット１１の発光面１４が水平な載置面に対して垂直となっているときを基準として、発光面１４が上側に向くときが仰角を意味し、発光面１４が下側に向くときが俯角を意味する。照明角度の調節は、支持部材１６を固定しながら筐体１２を回動させるか、又は、筐体１２を固定しながら支持部材１６を回動させて行う。
【００２１】
図３（ａ）は、仰角方向へ照明を行う場合を示している。二つの照明ユニット１１を離れた場所に配置し、各照明ユニット１１の発光面１４を仰角方向に向けて一つの対象を２方向から照明する。各照明ユニット１１は、例えば、机上などの載置面に支持部材１６の長い部分１６ａと筐体１２の膨出部１２ｄとが接するように載置される。支持部材１６は、長い部分１６ａが発光面の後ろにあって、発光面１４の背面と載置面とのなす角度が鋭角となる位置で保持される。膨出部１２ｄが載置面に接するように照明ユニット１１を載置すると、照明角度の調節を行う際に、膨出部１２ｄの円弧面が円滑に載置面に接することとなる。照明器具１０を用いた仰角方向への照明の例として、例えば、スタジオで人物等を撮影する際に人物の顔を照明する場合等が挙げられる。
【００２２】
図３（ｂ）は、俯角方向へ照明を行う場合を示している。二つの照明ユニット１１を離れた場所に配置し、各照明ユニット１１の発光面１４を俯角方向に向けて一つの対象を２方向から照明する。この場合も、各照明ユニット１１は、載置面に支持部材１６の長い部分１６ａと筐体１２の膨出部１２ｄとが接するように載置される。支持部材１６は、長い部分１６ａが発光面１４の前にあって、発光面１４と載置面とのなす角度が鋭角となる位置で保持される。
【００２３】
照明を行う際の、二つの照明ユニット１１の間隔や、各照明ユニット１１の照明角度はそれぞれ自由に変更することが可能であり、所望の部分を最も効果的に照明できる位置に調節される。また、照明角度の調節を繰り返し行うと、ナット１８が緩み支持部材１６が筐体１２を支持できなくなる場合がある。この場合、ナット１８を締め直すことで、支持部材１６が再び筐体１２を支持できる状態にすることができる。
【００２４】
また、照明器具１０は、各照明ユニット１１を載置面に載置して照明を行う以外にも、スタンドに取り付けられたクランプやフック等の照明補助器具を使用して、各照明ユニット１１が支持部材１６で保持された状態で様々な位置からの照明を行うことも可能であり、さらに照明範囲の自由度が高くなる。この場合、特許文献１に記載の照明器具と異なり、支持部材１６を前記照明補助器具で保持することで、発光面１４や筐体１２を傷つけることなく照明を行うことができる。
【００２５】
この実施の形態では以下の効果を有する。
（１）複数の照明ユニット１１からなる照明器具１０は、保管や持ち運びなどの照明未使用時には、各発光面１４が他の照明ユニット１１で覆われる状態で分離可能に連結され、一体化される。従って、別途保護部材を用いなくても、照明器具１０の構成だけで発光面１４を保護することができる。
【００２６】
（２）複数の照明ユニット１１からなる照明器具１０は、照明未使用時には、各発光面１４が対向する状態で連結される。従って、筐体１２の発光面１４と反対側の部分については形状や構成に制限を受けず、自由な形にすることができる。
【００２７】
（３）複数の照明ユニット１１からなる照明器具１０は、使用時には各照明ユニット１１が独立した状態で照明を行う。従って、一つの対象に、１方向からだけでなく複数方向からの照明を行うことができ、照明範囲の自由度が高くなる。また、面発光装置１３として有機ＥＬ素子を用いているため、光源を直視してもまぶしくなく、人物を照らす用途での照明としても好適に使用できる。
【００２８】
（４）二つの照明ユニット１１は、同一の構成を有する。従って、異なる構成を有する照明ユニットの組み合わせで照明器具を作成する場合に比較して、照明器具１０の製造が容易となる。
【００２９】
（５）照明器具１０を構成している各照明ユニット１１は、棒材により形成された支持部材１６を備え、その支持部材１６は筐体１２を発光面１４の仰角・俯角方向の角度を調節可能に支持する。従って、各照明ユニット１１は、仰角・俯角方向への照明を行うことができ、照明範囲の自由度が高くなる。
【００３０】
（６）照明器具１０を構成している各照明ユニット１１の筐体１２には、棒材により形成された支持部材１６が回動可能に取り付けられており、支持部材１６は筐体１２に対して任意の角度をなす位置で保持される。従って、各照明ユニット１１は、筐体１２と支持部材１６とのなす角度を調節することで、仰角・俯角方向の照明角度を自由に変化させることができ、照明範囲の自由度が高くなる。
【００３１】
（７）各照明ユニット１１に設けられた支持部材１６は、筐体１２の厚みより細い棒材で、コの字型に形成されている。従って、二つの照明ユニット１１を連結させた際に、連結を妨げることなく、支持部材１６を筐体１２の側面に沿う位置で保持することができ、収容スペースを小さくすることができる。
【００３２】
（８）各照明ユニット１１に設けられた支持部材１６は、スプリングワッシャ１７を介してナット１８で締め付けることによって筐体１２に取り付けられている。従って、照明角度の調節機構を、ラチェット方式を用いた照明角度の調節機構に比較して簡単にすることができる。
【００３３】
（９）各照明ユニット１１に設けられた支持部材１６は、ほぼ３６０度の範囲で回動可能に筐体１２に取り付けられている。従って、二つの照明ユニット１１が連結された状態で、支持部材１６を筐体１２と１８０度の角度をなすような位置で保持することができ、これを掴むことで持ち運びが容易となる。
【００３４】
（１０）各照明ユニット１１は、他の照明ユニット１１との連結手段としてマグネット１５を備えている。従って、連結手段の構成を、フックを使用する場合に比較して簡単にすることができる。
【００３５】
（１１）照明ユニット１１を構成する筐体１２の蓋部１２ｂの四角に設けられたマグネット１５は、左側と右側で異なる磁極が表面に現れるように取り付けられている。従って、同一の構成を有する照明ユニット１１を、上下の向きを同じにして、発光面１４を対向させた状態で連結させることができる。
【００３６】
（１２）各照明ユニット１１に設けられた連結手段としてのマグネット１５は、筐体１２の表面と面一となるように、筐体１２に組み込まれている。このため、二つの照明ユニット１１を連結した際に、連結面に隙間を開けることなく照明ユニットを一体化することができる。従って、保管時や持ち運び時に、発光面１４上に埃やごみが進入するのを防ぐことができる。
【００３７】
（１３）照明ユニット１１を構成している筐体１２には、膨出部１２ｄが設けられている。従って、照明ユニット１１を膨出部１２ｄが載置面に接するように載置すると、照明角度を調節する際に、膨出部１２ｄの円弧面が円滑に載置面に接することとなり、筐体１２の回動をスムーズに行うことができる。
【００３８】
（１４）面発光装置１３には有機ＥＬ素子が用いられているため、面発光装置１３の薄型化が容易で、かつ、無機ＥＬ素子に比較して駆動電圧を低くすることができる。
（第２の実施形態）
次に、第２の実施形態を図４、図５に従って説明する。第２の実施形態は、一つの照明ユニットに対して、それよりも小さい複数の照明ユニットを、発光面を対向させて連結する点が、前記第１の実施形態と異なっている。前記第１の実施形態と同様の部分については同一符号を付してその詳細な説明を省略する。
【００３９】
図４は、照明器具の概略斜視図であり、図５は、照明器具の使用時における概略斜視図である。
図４、図５に示すように、照明器具２１は、一つの照明ユニット１１と、それよりも小さい照明ユニット２２ａ，２２ｂとを備えている。
【００４０】
照明ユニット１１は、連結手段として、前記第１の実施形態で示したマグネット１５と異なる形状のマグネット１５を、蓋部１２ｂに備えている。マグネット１５は、筐体１２の左端から４分の１の位置と、右端から４分の１の位置にそれぞれ上下一箇所ずつ、筐体１２の表面と面一となるように取り付けられている。
【００４１】
照明ユニット２２ａと照明ユニット２２ｂは基本的な構成は同一で、支持部材の配置が互いに対称となっている点が異なっている。ここでは、照明ユニット２２ａについて説明する。照明ユニット２２ａは、筐体２４と、筐体２４に組み込まれた面発光装置１３とを備えている。筐体２４は、筐体１２とほぼ同様の構成を有しており、筐体本体２４ａと、開口部２４ｃを有する蓋部２４ｂとを備え、横の長さが筐体１２の２分の１であり、縦の長さは筐体１２と等しい。筐体２４の長手方向に沿った一端には膨出部２４ｄが形成されている。面発光装置１３の発光面１４は開口部２４ｃと対向している。
【００４２】
また、照明ユニット２２ａは、連結手段として強磁性体製の被吸着片２３（例えば鉄片）を、蓋部２４ｂの上部中心と、蓋部２４ｂの下部中心とに備えている。さらに、照明ユニット２２ａは、棒材で形成されたＬ字型の支持部材２５を備えている。支持部材２５の基端には支持部材１６の端部と同様にリング部が形成されており、筐体２４の一方の側面に回動可能に取り付けられている。支持部材２５が取り付けられた筐体２４の側面と反対側の側面は平坦になっている。
【００４３】
次に、前記のように構成された照明器具２１の作用を説明する。照明未使用時には、照明器具２１を構成する三つの照明ユニット１１，２２ａ，２２ｂは、上下の向きをそろえて、照明ユニット１１の発光面１４に照明ユニット２２ａ，２２ｂの発光面１４が対向するように連結され、一体化される。この時、互いに対称な照明ユニット２２ａ，２２ｂは、照明ユニット１１の発光面１４が完全に隠れるように、筐体２４の平坦な側面同士が接した状態になっている。また、照明ユニット１１のマグネット１５と、照明ユニット２２ａ，２２ｂの被吸着片２３とが対向することで、各照明ユニット１１，２２ａ，２２ｂは磁力により連結され、一体化される。各照明ユニット１１，２２ａ，２２ｂに設けられた支持部材１６，２５を、例えば、各筐体１２，２４の側面に沿う位置で保持することで、保管スペースを小さくすることができる。
【００４４】
使用時には、例えば、図５に示すように、中央に照明ユニット１１を配置し、その左右に照明ユニット２２ａ，２２ｂを配置して一つの対象に３方向から照明を行う。第２の実施形態では、各照明ユニット１１，２２ａ，２２ｂの支持の仕方と角度調節の仕方は前記第１の実施形態の場合と異なっている。仰角方向への照明は、筐体１２，２４に形成された膨出部１２ｄ，２４ｄを上にして発光面１４が仰角方向を向くように照明ユニット１１，２２ａ，２２ｂを載置する。また、俯角方向への照明は、筐体１２，２４に形成された膨出部１２ｄ，２４ｄを上にして発光面１４が俯角方向を向くように照明ユニット１１，２２ａ，２２ｂを載置する。
【００４５】
なお、前記第１の実施形態と同様に膨出部１２ｄ，２４ｄが載置面に接するように照明ユニット１１，２２ａ，２２ｂを載置して照明を行うことも可能である。これら三つの照明ユニット１１，２２ａ，２２ｂの間隔や照明角度はそれぞれ独立に、自由な設定が可能であり、一つの照明ユニットを消して、２方向からの照明を行うこともできる。
【００４６】
この第２の実施形態においては、第１の実施形態の効果（１）〜（３），（５）〜（１０），（１２）〜（１４）と同様の効果を有する他に次の効果を有する。
（１５）一つの照明ユニット１１と、全体で照明ユニット１１と同じ大きさとなる二つの照明ユニット２２ａ，２２ｂとからなる照明器具２１は、使用時には３つの照明ユニット１１，２２ａ，２２ｂに分離して照明を行う。従って、１方向からだけでなく、３方向からの照明が可能となる。また、照明ユニット１１をメイン照明とし、照明ユニット２２ａ，２２ｂを補助照明とすると、これらメイン照明及び補助照明の照明方向を仰角方向と俯角方向との異なる状態で使用しても違和感がなく、照明範囲の自由度は第１の実施形態に比較してさらに高くなる。
【００４７】
（１６）照明器具２１は、照明未使用時には、照明ユニット２２ａ，２２ｂが各筐体２４の平坦な面を接触させた状態で、照明ユニット１１と連結される。従って、照明ユニット２２ａ，２２ｂの隙間からの埃やごみの進入を防ぐことができる。
【００４８】
なお、実施形態は前記に限定されるものではなく、例えば、次のように構成してもよい。
○  面発光装置１３は、有機ＥＬ素子に限らず無機ＥＬ素子でもよい。無機ＥＬ素子を用いた場合でも、前記実施形態１の（１４）の効果を除き、各実施形態と同様の効果を有する。
【００４９】
○  支持部材は、照明未使用時において筐体の側面に沿う位置で保持される構成に限らず、少なくともその一部が筐体の周縁部に収納されるようにしてもよい。収納するための構成として、例えば、図６（ａ）に示すように、筐体１２の一部に切り欠き部２６を設けてもよい。また、支持部材１６全体が筐体１２に収納されるように、筐体１２に溝部を設けてもよい。
【００５０】
○  照明ユニットを動作させるための電源として、ＡＣアダプタからの電源に代えて、電池を使用してもよい。電池は、例えば、筐体１２に設けられた膨出部１２ｄに収納するようにしてもよい。また、ＡＣアダプタからの電源と電池のどちらでも動作できるようにしてもよい。
【００５１】
○  他の照明ユニットと分離可能に一体化するための連結手段として、マグネットに代えて、フック機構を用いてもよい。例えば、図６（ｂ）に示すように、筐体１２にはフック２８と、他の照明ユニットのフックをかけるための穴２７と、フックを解除するためのレバー２９とが設けられる。この照明ユニットを連結する際は、同じ連結手段を有する二つの照明ユニットを上下の向きを逆にして連結する。また、一方の照明ユニットにフックのみを、他方の照明ユニットにフックをかける穴のみを設けて、それらを組み合わせるようにしてもよい。
【００５２】
○  他の照明ユニットと分離可能に一体化するための連結手段として、凸部と凹部との嵌めあわせを用いてもよい。この場合、各筐体にはお互いに嵌めあうことができ、かつ、その嵌めあった状態を保持することのできる形状の凸部と凹部が設けられる。
【００５３】
○  他の照明ユニットと分離可能に一体化するための連結手段として、凸部（あり）と溝部（あり溝）との組み合わせを用いてもよい。例えば、図７に示すように、各照明ユニット１１に凸部（あり）３０と溝部（あり溝）３１を設け、一方の照明ユニット１１の凸部３０に他方の照明ユニット１１の溝部３１が嵌りあうように、スライドさせて連結する。また、凸部３０と溝部３１の形は、お互いに嵌めあうことができれば自由な形にしてもよい。なお、一方の照明ユニットに凸部のみを、他方の照明ユニットに溝部のみを設けて、それらを組み合わせるようにしてもよい。
【００５４】
○  第２の実施形態における連結手段としての被吸着片２３は、強磁性体製であれば鉄片でなくてもよい。また他の実施形態においても連結手段は、磁極の異なるマグネットの組み合わせに限らず、マグネットと強磁性体製の被吸着片の組み合わせを用いてもよい。この場合、筐体の蓋部の一部に被吸着片を設けてもよいし、筐体の蓋部全体が強磁性体製であってもよい。
【００５５】
○  連結手段としてマグネットを用いる場合、各筐体に取り付けられたマグネットは、筐体の表面と面一となっている場合に限らず、筐体の表面より突出していてもよいし、筐体の表面に露出していなくてもよい。
【００５６】
○  他の照明ユニットと分離可能に一体化するための連結手段は、各照明ユニット同士が発光面を覆う状態で連結することができ、その状態を保持することができれば、筐体のどの位置に設けてもよい。
【００５７】
○  照明器具は、三つ以上の同じ大きさの照明ユニットから構成されていてもよい。例えば、図８に示すように、三つの同じ大きさの照明ユニット１１からなる照明器具３２とし、一つの照明ユニット１１は他の照明ユニット１１の発光面１４と反対側に連結される。この場合、少なくとも一つの照明ユニット１１は筐体の両面に連結手段を備えており、筐体は両面に他の照明ユニットが連結可能な形状に構成される。
【００５８】
○  筐体に組み込まれた面発光装置は、片面に発光面を備えた構成に限らず、両面に発光面を備えていてもよい。
○  照明器具を構成する各照明ユニットは、発光面が複数の発光部を備えていてもよい。
【００５９】
○  照明器具を構成する複数の照明ユニットは、発光面を保護することが可能であれば同じ大きさでなくてもよい。
○  照明ユニットを構成する筐体の形状は、四角形に限らず、例えば、三角形や五角形以上の多角形、あるいは楕円形等であってもよい。また、筐体に膨出部が設けられていなくてもよい。
【００６０】
○  支持部材を取り付けるナットの形状は、円筒状に限らず、例えば、多角形等であってもよい。
○  照明角度の調節機構は、スプリングワッシャとナットによる機構に限らず、例えば、ラチェット機構であってもよい。
【００６１】
○  支持部材は棒材を用いる以外にも、板材を用いて形成してもよい。例えば、板材として筐体の厚みとほぼ同じ幅の板材を使用して、棒材と同様な形（コの字型、Ｌ字型）に形成してもよい。
【００６２】
○  筐体に取り付けられた支持部材は、３６０度の範囲で回動可能に限らず、例えば１８０度の範囲で回動可能であってもよい。
○  支持部材の形状は、コの字型やＬ字型に限らず、筐体となす角度の調節が可能で、かつ筐体を支持できる機能を備えていれば、例えば、まっすぐな棒や板材であってもよい。
【００６３】
○  支持部材の取り付け位置は、筐体側面の上端部と下端部に限らず、例えば、筐体側面の中央部であってもよいし、筐体の背面であってもよい。
○  照明器具を構成する各照明ユニットは、支持部材を備えていなくてもよい。この場合、各照明ユニットは、補助部材等に立て掛けた状態で使用する。
【００６４】
○  照明器具の構成に、第２の実施形態で示した、一つの照明ユニット１１とその照明ユニット１１の発光面を複数の照明ユニット２２ａ，２２ｂで覆う構成を採用する場合、複数の照明ユニットの数は二つに限らず、三つ以上であってもよい。この場合、連結の際に二つの照明ユニットではさまれる照明ユニットについては、支持部材の取り付け位置は筐体の背面となる。
【００６５】
以下の技術的思想（発明）は前記実施形態から把握できる。
（１）請求項２に記載の発明において、前記照明器具は、一つの照明ユニットと、該照明ユニットの発光面を覆う複数の照明ユニットとより構成される。
【００６６】
（２）請求項３に記載の発明において、前記支持部材は、回動可能で、かつ、回動範囲内で前記筐体に対して任意の角度をなす位置に保持可能である。
【図面の簡単な説明】
【００６７】
【図１】（ａ）は第１の実施形態における一つの照明ユニットの概略斜視図、（ｂ）は二つの照明ユニットが一体化された状態の照明器具の側面図。
【図２】第１の実施形態における支持部材の取り付け部の概略分解斜視図。
【図３】（ａ）は第１の実施形態において、仰角方向に照明時の照明器具の概略斜視図、（ｂ）は俯角方向に照明時の照明器具の概略斜視図。
【図４】第２の実施形態における照明器具の概略斜視図。
【図５】第２の実施形態において、仰角方向に照明時の照明器具の概略斜視図。
【図６】（ａ）は別の実施形態における照明ユニットの部分概略斜視図、（ｂ）は別の実施形態における照明ユニットの部分概略正面図。
【図７】別の実施形態における照明器具の概略側面図。
【図８】別の実施形態における照明器具の部分概略斜視図。
【図９】従来技術の照明器具の概略斜視図。
【符号の説明】
【００６８】
１０，２１，３２…照明器具、１１，２２ａ，２２ｂ…照明ユニット、１２，２４…筐体、１３…面発光装置、１４…発光面、１５…連結手段としてのマグネット、１６，２５…支持部材、２３…連結手段としての被吸着片。
【図１】
2006147428.tif 000003
【図２】
2006147428.tif 000004
【図３】
2006147428.tif 000005
【図４】
2006147428.tif 000006
【図５】
2006147428.tif 000007
【図６】
2006147428.tif 000008
【図７】
2006147428.tif 000009
【図８】
2006147428.tif 000010
【図９】
2006147428.tif 000011